(57)【特許請求の範囲】
【請求項１】
＝旧請求項のうち、１＆（２の半分）＆３＆５を統合で差別化。
Ｆ型コネクタを外面に有する金属製の筐体を備え、前記Ｆ型コネクタから筐体内部に延出されたＦ型コネクタ芯線と接続されるプリント基板を前記筐体内部に備え、前記プリント基板のグランドと前記筐体が同電位である、高周波信号接続ユニットにおけるＦ型コネクタ芯線接続構造であって、
前記Ｆ型コネクタ芯線は、前記筐体内部に延出された部分が前記プリント基板側へ折り曲げられて当該プリント基板と接続され、
前記筐体は、前記Ｆ型コネクタ芯線のうち前記筐体内部に延出された部分の近傍に、筐体内部側へ窪ませてなる内方突出形状が形成されており、この内方突出形状が、前記筐体の内部に延出された前記Ｆ型コネクタ芯線の前記プリント基板側へ折り曲げられるまでの部分に対して一定の平行間隔をもって対向する面形状に形成されてあることを特徴とするＦ型コネクタ芯線接続構造。
【請求項２】
＝旧請求項のうち、２の半分だけ。
前記筐体の前記内方突出形状は、前記Ｆ型コネクタ芯線の、折り曲げ箇所から前記プリント基板側へ至る芯線部分に沿ってもまた、一定の間隔をもって対向する平行形状面を有してなることを特徴とする請求項１記載のＦ型コネクタ芯線接続構造。
【請求項３】
＝旧請求項のうち、４のまま。
前記内方突出形状の前記芯線部分に対向する面の面積が、前記Ｆ型コネクタ芯線の幅に比べて広くなっていることを特徴とする請求項１又は請求項２に記載のＦ型コネクタ芯線接続構造。
【請求項４】
＝旧請求項のうち、６のまま。
前記Ｆ型コネクタ芯線と前記プリント基板との接続部分から該Ｆ型コネクタ芯線の先端部までの距離を調整可能としたことを特徴とする請求項１乃至３に記載のＦ型コネクタ芯線接続構造。
【請求項５】
＝旧請求項のうち、７のまま。
前記Ｆ型コネクタ芯線と前記プリント基板との接続部分から該Ｆ型コネクタ芯線の先端部までの区間において、前記Ｆ型コネクタ芯線を前記プリント基板側に折り曲げたことを特徴とする請求項１乃至４に記載のＦ型コネクタ芯線接続構造。
【請求項６】
＝旧請求項のうち、８のまま。
前記筐体内部に延出された前記Ｆ型コネクタ芯線から前記内方突出形状までの距離によって、該Ｆ型コネクタ芯線の幅が設定されることを特徴とする請求項１乃至５に記載のＦ型コネクタ芯線接続構造。
【請求項７】
＝旧請求項のうち、９のまま。
前記筐体内部に延出された前記Ｆ型コネクタ芯線において、幅および形状の変化部分を設けたことを特徴とする請求項１乃至５に記載のＦ型コネクタ芯線接続構造。
旧請求項のうち、第１０項からラスト１４項までは権利化をあきらめて破棄。
【発明の詳細な説明】
【０００１】
【発明の属する技術分野】
本発明は、同軸ケーブルにより伝送されてきた高周波信号がＦ型コネクタを介して筐体内部のプリント基板に伝送される高周波信号接続ユニットにおけるＦ型コネクタ芯線接続構造に関するものである。
【０００２】
【従来の技術】
従来から高周波信号を有線伝送する場合、同軸ケーブルを用いて高周波信号接続ユニットに接続するのが一般的である。また、この同軸ケーブルと高周波信号接続ユニットを接続するコネクタとしてＦ型コネクタがよく用いられる。この際に、図９の（ａ）に示すように、同軸ケーブル１００の同軸ケーブル芯線１０１と高周波信号接続ユニットの筐体１０２に接続されたＦ型コネクタジャック１０３のＦ型コネクタ芯線１０４とは、Ｆ型コネクタ芯線１０４のばね性により接続される。また、同軸ケーブル１００に接続されたＦ型コネクタプラグ１０５とＦ型コネクタジャック１０３の外導体とは、それぞれのねじ部（不図示）により接続される。これにより、同軸ケーブル１００から高周波信号接続ユニットに信号が伝送される。そして、筐体１０２内部に延出したＦ型コネクタ芯線１０４は、筐体１０２内部における芯線部分の長さができるだけ短くなるように、プリント基板１０６と接続される。ここで、プリント基板１０６は、筐体１０２内に内装されており、プリント基板１０６のグランドと筐体１０２が同電位になるように接続されている。しかし、高周波信号接続ユニットの形状や大きさによってはＦ型コネクタジャック１０３とプリント基板１０６の位置が離れ、Ｆ型コネクタ芯線１０４の筐体１０２内部における芯線部分が長くなる場合がある。そのとき、この筐体１０２内部に延出したＦ型コネクタ芯線１０４の部分でインピーダンスミスマッチングが起こり、信号の伝送損失が大きくなる。
【０００３】
そこで、図９の（ａ）および（ｃ）に示すように、筐体１０２内部に延出したＦ型コネクタ芯線１０４に平行して両側に、筐体１０２から内部側に突出した壁１０７を設け、この壁１０７をプリント基板１０６のグランドと接続することにより、Ｆ型コネクタジャック１０３からプリント基板１０６までの高周波信号伝送モードを確保している。
【０００４】
【発明が解決しようとする課題】
しかし、図１０（ａ）に示すように、Ｆ型コネクタ芯線１０４がプリント基板１０６の裏面側（図１０（ａ）における下面）から挿入されてプリント基板１０６と接続される場合には、上記の方法によって、延出したＦ型コネクタ芯線１０４部分での伝送損失を低減することが可能であるが、図１０（ｂ）に示すように、設計上の理由等によって、Ｆ型コネクタ芯線１０４がプリント基板１０６の表面側（図１０（ｂ）における上面）から挿入される場合には、上記方法ではプリント基板１０６と筐体１０２から突出した壁１０７とのＧＮＤ接続ができなくなるとともに、壁１０７が延出したＦ型コネクタ芯線１０４の両側を完全に覆うようにすればＦ型コネクタ芯線１０４とプリント基板１０６との接続ができなくなり、延出したＦ型コネクタ芯線１０４部分での伝送損失を低減させることができない。この場合、筐体１０２内部に延出するＦ型コネクタ芯線１０４が短ければ伝送損失はそれ程問題にならないが、その長さによっては伝送損失が増大し、高周波信号接続ユニットの基本特性に影響する重大な問題となる恐れがある。
【０００５】
本発明は、上記事由に鑑みて為されたものであり、その目的は、高周波信号接続ユニットの形状や大きさにより、筐体内部に延出したＦ型コネクタ芯線がある程度の長さを持つ場合でも、Ｆ型コネクタ芯線における高周波伝送モードを確保し、高周波信号の伝送損失を低減させるＦ型コネクタ芯線接続構造を提供することである。
【０００６】
【課題を解決するための手段】
上記課題を解決するために、請求項１記載のＦ型コネクタ芯線接続構造は、Ｆ型コネクタを外面に有する金属製の筐体を備え、前記Ｆ型コネクタから筐体内部に延出されたＦ型コネクタ芯線と接続されるプリント基板を前記筐体内部に備え、前記プリント基板のグランドと前記筐体が同電位である、高周波信号接続ユニットにおけるＦ型コネクタ芯線接続構造であって、
前記Ｆ型コネクタ芯線は、前記筐体内部に延出された部分が前記プリント基板側へ折り曲げられて当該プリント基板と接続され、
前記筐体は、前記Ｆ型コネクタ芯線のうち前記筐体内部に延出された部分の近傍に、筐体内部側へ窪ませてなる内方突出形状が形成されており、この内方突出形状が、前記筐体の内部に延出された前記Ｆ型コネクタ芯線の前記プリント基板側へ折り曲げられるまでの部分に対して一定の平行間隔をもって対向する面形状に形成されてあることを特徴とするものである。
【０００７】
請求項２記載のＦ型コネクタ芯線接続構造は、請求項１記載のＦ型コネクタ芯線接続構造において、前記筐体の前記内方突出形状は、前記Ｆ型コネクタ芯線の、折り曲げ箇所から前記プリント基板側へ至る芯線部分に沿ってもまた、一定の間隔をもって対向する平行形状面を有してなることを特徴とするものである。
【０００８】
請求項３記載のＦ型コネクタ芯線接続構造は、請求項１又は請求項２に記載のＦ型コネクタ芯線接続構造において、前記内方突出形状の前記芯線部分に対向する面の面積が、前記Ｆ型コネクタ芯線の幅に比べて広くなっていることを特徴とするものである。
【０００９】
請求項４記載のＦ型コネクタ芯線接続構造は、請求項１乃至３に記載のＦ型コネクタ芯線接続構造において、前記Ｆ型コネクタ芯線と前記プリント基板との接続部分から該Ｆ型コネクタ芯線の先端部までの距離を調整可能としたことを特徴とするものである。
【００１０】
請求項５記載のＦ型コネクタ芯線接続構造は、請求項１乃至４に記載のＦ型コネクタ芯線接続構造において、前記Ｆ型コネクタ芯線と前記プリント基板との接続部分から該Ｆ型コネクタ芯線の先端部までの区間において、前記Ｆ型コネクタ芯線を前記プリント基板側に折り曲げたことを特徴とするものである。
【００１１】
請求項６記載のＦ型コネクタ芯線接続構造は、請求項１乃至５に記載のＦ型コネクタ芯線接続構造において、前記筐体内部に延出された前記Ｆ型コネクタ芯線から前記内方突出形状までの距離によって、該Ｆ型コネクタ芯線の幅が設定されることを特徴とするものである。
【００１２】
請求項７記載のＦ型コネクタ芯線接続構造は、請求項１乃至５に記載のＦ型コネクタ芯線接続構造において、前記筐体内部に延出された前記Ｆ型コネクタ芯線において、幅および形状の変化部分を設けたことを特徴とするものである。
【００１３】
【００１４】
【００１５】
【００１６】
【００１７】
【００１８】
【００１９】
【００２０】
【発明の実施の形態】
以下、本発明の実施形態について図を参照して説明する。図１は、本発明の第１実施形態に係るＦ型コネクタ芯線接続構造を高周波信号接続ユニットに適用した概略図であり、（ａ）は斜視図、（ｂ）は表面図である。図２は、本発明の第１実施形態に係るＦ型コネクタ芯線接続構造を示す拡大構成図であり、（ａ）は側面図、（ｂ）は表面図、（ｃ）は裏面図である。図３は、本発明の第１実施形態に係るＦ型コネクタ芯線接続構造における内方突出形状の変形例を示す拡大構成図であり、（ａ）は側面図、（ｂ）は裏面図である。図４は、本発明の第１実施形態に係るＦ型コネクタ芯線接続構造におけるＦ型コネクタ芯線の変形例を示す拡大構成側面図である。図５は、本発明の第１実施形態に係るＦ型コネクタ芯線接続構造におけるＦ型コネクタ芯線の別変形例を示す拡大構成裏面図である。
【００２１】
本発明の第１実施形態について説明する。このＦ型コネクタ芯線接続構造は、Ｆ型コネクタにより信号入力または信号出力される高周波信号接続ユニットに適用されるものであり、高周波信号接続ユニットの例としては、図１に示すようなテレビコンセントの他、分配器や分岐器等がある。また、図１は、テレビ等の受信機器に接続されるテレビ端子１２を筐体３表面に２つ備えたテレビコンセントであり、筐体３内部に延出したＦ型コネクタ芯線６の芯線部分の長さができるだけ短くなるようにプリント基板４を配設することは、設計上困難である。なお、本実施形態では、図１にように設計上の理由によって、従来の上記方法が適用できない場合について説明するが、本発明はこれに限ったものではなく、筐体内部に延出したＦ型コネクタ芯線がある程度の長さを持つ場合において、広く適用できるものである。
【００２２】
このＦ型コネクタ芯線接続構造を適用する高周波信号接続ユニットについて、図１および図２を参照して詳しく説明する。この高周波信号接続ユニットは、注型（ダイキャスト）により形成されており、外面にＦ型コネクタ１を接続するための接続口２を有する金属製の筐体３を備えている。この筐体３内部には、プリント基板４が内装されるとともに、接続口２に対向するように設けられた芯線導出口５からＦ型コネクタ芯線６が延出されている。このＦ型コネクタ芯線６は、芯線導出口５からＦ型コネクタ１の取り付け方向に沿って筐体内部空間に延出された後、折曲部６１でプリント基板４側へ折り曲げられてプリント基板４に接続される。なお、プリント基板４のグランドと筐体３は同電位でＧＮＤレベルとなっている。さらに、この筐体３は、筐体３内部から内方に突出した筐体と同じ金属製の内方突出壁３０を有しており、この内方突出壁３０は、Ｆ型コネクタ芯線６の折曲部６１からＦ型コネクタ芯線６とプリント基板４の接続部分７までの芯線部分６ａにおいて、該芯線部分に沿って一定の間隔をもって対向している。このようなＦ型コネクタ芯線接続構造にすることによって、同軸ケーブルからＦ型コネクタ１を介して伝送されてきた高周波信号が、Ｆ型コネクタ芯線６を伝送する際において、マイクロストリップ線路と同様の伝送モードで伝送される。すなわち、導体線路がＦ型コネクタ芯線６に相当し、比誘電率（この場合は、空気）を持つ誘電体基板が内方突出壁３０に相当する。従って、Ｆ型コネクタ芯線６部分での高周波信号の伝送損失を低減させることができる。なお、芯線部分６ａにだけでなく、Ｆ型コネクタ芯線６の芯線導出口５から折曲部６１までの芯線部分６ｂにおいても、内方突出壁３０を一定の間隔をもって対向させることによって、よりＦ型コネクタ芯線６での伝送損失を低減させることができる。ここで、前記一定の間隔とは、内方突出壁３０のＦ型コネクタ芯線６に対向している面とＦ型コネクタ芯線６との間隔が一定であることを意味するが、芯線部分６ａおよび芯線部分６ｂに対してともに同じ間隔であってもよいし、芯線部分６ａに対する間隔と芯線部分６ｂに対する間隔とが異なっていても、それぞれの芯線部分に対して一定間隔を保っていればよい。
【００２３】
また、筐体３内部に延出したＦ型コネクタ芯線６のインピーダンスは、Ｆ型コネクタ芯線６と内方突出壁３０のＦ型コネクタ芯線６に対向する面との距離Ｔと、Ｆ型コネクタ芯線６の幅Ｗとによって決まる。ここでは、距離Ｔを芯線部分６ｂと芯線部分６ｂに対向する内方突出壁３０の上面３１との距離として説明するが、芯線部分６ａと芯線部分６ａに対向する面３３との距離でも同様の関係がある。そこで、筐体３の構造やプリント基板４の内部収容方法によって距離Ｔが制限される場合に、Ｆ型コネクタ芯線６の幅Ｗを調整することにより、インピーダンスを整合してＦ型コネクタ芯線６における伝送損失を低減させることができる。例えば、距離Ｔを固定させて、幅Ｗを広くしていくとマイクロストリップ線路の特性インピーダンスは小さくなっていく。なお、図２の斜線部分に示すように、内方突出壁３０を有した筐体３部分の外面を内方突出壁３０に沿って窪ませた凹部３２を設けることにより、筐体３の壁の厚みを均一にするとともに、高周波信号接続ユニットの質量を軽減させることができる。
【００２４】
さらに、このＦ型コネクタ芯線接続構造は、図３の（ａ）に示すように、内方突出壁３０におけるＦ型コネクタ芯線６の芯線部分６ａに対向する面３３に、この芯線部分６ａの傾斜と同等の傾斜をつけることによって、内方突出壁３０の面３３と芯線部分６ａとの距離を一定に保つことができ、芯線部分６ａ部分でのインピーダンス変動をなくし、Ｆ型コネクタ芯線６における伝送損失をより低減させることができる。また、図３の（ｂ）に示すように、芯線部分６ａが内方突出壁３０の面３３と平行にずれたとしても面３３からはみ出さない程度に内方突出壁３０の面３３の面積を広くすることにより、芯線部分６ａが内方突出壁３０の面３３と平行にずれたとしても、内方突出壁３０と芯線部分６ａとの距離を一定に保つことができる。
【００２５】
また、このＦ型コネクタ芯線接続構造は、Ｆ型コネクタ芯線６とプリント基板４との接続部分７からＦ型コネクタ芯線６の先端部６２までの距離を調整することができる。実際には、接続部分７からＦ型コネクタ芯線６の先端部６２までの距離を長めに残しておき、その部分を切断していくことによって調整する。このとき、接続部分７から先端部６２までの延出部分６ｃは、オープンスタブと同様の役割を果たし、延出部分６ｃの長さによって、Ｆ型コネクタ芯線６のインピーダンスを調整することができる。この働きを利用して、Ｆ型コネクタ芯線６のインピーダンスを整合し、Ｆ型コネクタ芯線６における伝送損失を低減させることができる。なお、図４に示すように、Ｆ型コネクタ芯線６の延出部分６ｃをプリント基板４側に曲げることにより、延出部分６ｃとプリント基板４のグランドとの距離関係が変わりＦ型コネクタ芯線６のインピーダンスの微調整ができる。
【００２６】
さらに、図５に示すように、Ｆ型コネクタ芯線６の芯線部分６ａに幅および形状の異なる変化点８を設け、この変化点８の位置をＦ型コネクタ芯線６における折曲部６１と接続部分７の区間において調整することにより、Ｆ型コネクタ芯線６のインピーダンスマッチングの周波数特性を改善することができる。なお、変化点の形状は円形だけでなく、方形状等の他の形状であってもよい。
【００２７】
次に、本発明の第１の参考形態について説明する。図６は、本発明の第１の参考形態に係るＦ型コネクタ芯線接続構造を示す拡大構成図であり、（ａ）は側面図、（ｂ）は上面図である。このＦ型コネクタ芯線接続構造は、内部突出壁３０の代わりに、Ｆ型コネクタ芯線６の芯線部分６ａに円筒形で内部が空洞の導体９を、Ｆ型コネクタ芯線６が導体９の中心を通るように配置した点において、第１実施形態と異なっている。円筒状の導体９は、プリント基板４のグランドと同電位になるようにプリント基板４と接続される。こうすることによって、Ｆ型コネクタ芯線６の芯線部分６ａを伝送する信号は、同軸ケーブルと同様の伝送モードで伝送される。すなわち、中心導体がＦ型コネクタ芯線６の芯線部分６ａに相当し、グランドとなる編組線(細い導線を編んだもの)が円筒状の導体９に相当する。従って、Ｆ型コネクタ芯線６における伝送損失を低減させることができる。また、Ｆ型コネクタ芯線６の断面形状を円形にし、円筒状の導体９の内部を通るＦ型コネクタ芯線６の芯線部分６ａの芯線表面から最短距離にある導体９までの距離を均一にすることにより、伝送損失をより低減させることができる。なお、芯線部分６ａの断面形状は、円形だけでなく、正ｎ角形等であってもよい。
【００２８】
本発明の第２の参考形態について説明する。図７は、本発明の第２の参考形態に係るＦ型コネクタ芯線接続構造を示す拡大構成図であり、（ａ）は側面図、（ｂ）は上面図である。このＦ型コネクタ芯線接続構造は、内部突出壁３０の代わりに、Ｆ型コネクタ芯線６の両側に筐体３とプリント基板４のグランドとを接続するＧＮＤ端子１０を設けた点において、第１実施形態と異なっている。図７の（ｂ）に示すように、このＧＮＤ端子１０が、芯線導出口５から折曲部６１までのＦ型コネクタ芯線６の芯線部分６ｂと平行になるように設けられることによって、Ｆ型コネクタ芯線６を伝送する信号は、コプレーナ線路と同様の伝送モードで伝送される。すなわち、中心導体がＦ型コネクタ芯線６に相当し、接地板がＧＮＤ端子１０に相当する。従って、Ｆ型コネクタ芯線６における伝送損失を低減させることができる。なお、筐体３とプリント基板４のグランドとを接続するＧＮＤ端子１０は、プリント基板４には半田付けにより固定されるが、筐体３には筐体３の大きさによって熱容量の問題があり半田付けが困難な場合がある。そこで、筐体３にＧＮＤ端子取付スリット（不図示）を設け、ここにＧＮＤ端子１０を圧入することにより、取り付け方法を簡便にすることができる。
【００２９】
本発明の第３の参考形態について説明する。図８は、本発明の第３の参考形態に係るＦ型コネクタ芯線接続構造を示す拡大構成図であり、（ａ）は側面図、（ｂ）は上面図であり、（ｃ）は接続用プリント基板の拡大正面図である。このＦ型コネクタ芯線接続構造は、内部突出壁３０をなくし、且つＦ型コネクタ１からプリント基板４にＦ型コネクタ芯線６を接続する際に、このＦ型コネクタ芯線６を伝送損失に大きな劣化が生じない程度に短くし、そこからプリント基板４までを接続用プリント基板１１によって接続した点において、第１実施形態と異なっている。図８の（ｃ）に示すように、接続用プリント基板１１は、インピーダンス整合された線路で構成されており、斜線部分が導体からなるとともに両端がグランド１１ａ、中央が信号線路１１ｂとなっている。こうすることによって、接続用プリント基板１１を伝送する信号は、コプレーナ線路と同様の伝送モードで伝送される。すなわち、中心導体が信号線路１１ｂに相当し、接地板が両端のグランド１１ａに相当する。従って、Ｆ型コネクタ芯線６における伝送損失を低減させることができる。なお、ここでは、コプレーナ線路の接続用プリント基板１１を示したが、インピーダンス整合されていれば、マイクロストリップ線路等の伝送線路でもあってもよい。
【００３０】
【発明の効果】
以上、説明したように、請求項１記載のＦ型コネクタ芯線接続構造は、Ｆ型コネクタを外面に有する金属製の筐体を備え、Ｆ型コネクタから筐体内部に延出されたＦ型コネクタ芯線と接続されるプリント基板を筐体内部に備え、プリント基板のグランドと筐体が同電位である、高周波信号接続ユニットにおけるＦ型コネクタ芯線接続構造であって、Ｆ型コネクタ芯線は、筐体内部に延出された部分がプリント基板側へ折り曲げられて当該プリント基板と接続され、筐体は、Ｆ型コネクタ芯線のうち筐体内部に延出された部分の近傍に、筐体内部側へ窪ませてなる内方突出形状が形成されており、この内方突出形状が、筐体の内部に延出されたＦ型コネクタ芯線のプリント基板側へ折り曲げられるまでの部分に対して一定の平行間隔をもって対向する面形状に形成されてあるので、Ｆ型コネクタを介して伝送されてきた高周波信号が、プリント基板側へ折り曲げられたあとの芯線部分を伝送する際において、マイクロストリップ線路と同様の伝送モードで伝送されることにより、Ｆ型コネクタ芯線部分での高周波信号の伝送損失を低減させることができる。このとき、内方突出形状の芯線部分に対向する面と芯線部分との距離を一定に保つことができ、該芯線部分でのインピーダンス変動をなくし、Ｆ型コネクタ芯線における伝送損失をより低減させることができる。さらに、内方突出形状を筐体内部側へ窪ませるので、筐体の壁の厚みを厚くするわけではないので、高周波信号接続ユニットの質量を余分に増量させることを避ける設計にできる。
【００３１】
請求項２記載のＦ型コネクタ芯線接続構造は、請求項１記載のＦ型コネクタ芯線接続構造において、筐体の内方突出形状は、Ｆ型コネクタ芯線の、折り曲げ箇所からプリント基板側へ至る芯線部分に沿ってもまた、一定の間隔をもって対向する平行形状面を有してなるので、Ｆ型コネクタ芯線部分での高周波信号の伝送損失を、さらに低減させることができる。
【００３２】
請求項３記載のＦ型コネクタ芯線接続構造は、請求項１又は請求項２に記載のＦ型コネクタ芯線接続構造において、内方突出形状の芯線部分に対向する面の面積が、Ｆ型コネクタ芯線の幅に比べて広くなっているので、芯線部分が内方突出形状の芯線部分に対向する面と平行にずれたとしても、内方突出形状と芯線部分との距離を一定に保つことができ、該芯線部分でのインピーダンス変動をなくし、Ｆ型コネクタ芯線における伝送損失を確実に低減させることができる。
【００３３】
請求項４記載のＦ型コネクタ芯線接続構造は、請求項１乃至３に記載のＦ型コネクタ芯線接続構造において、Ｆ型コネクタ芯線とプリント基板との接続部分から該Ｆ型コネクタ芯線の先端部までの距離を調整可能としたので、接続部分から先端部までの距離は、オープンスタブと同様の役割を果たし、Ｆ型コネクタ芯線のインピーダンスを調整することができ、Ｆ型コネクタ芯線における伝送損失を低減することができる。
【００３４】
請求項５記載のＦ型コネクタ芯線接続構造は、請求項１乃至４に記載のＦ型コネクタ芯線接続構造において、Ｆ型コネクタ芯線とプリント基板との接続部分から該Ｆ型コネクタ芯線の先端部までの区間において、Ｆ型コネクタ芯線をプリント基板側に折り曲げたので、接続部分から先端部までの区間とプリント基板のグランドとの距離関係が変わり、Ｆ型コネクタ芯線のインピーダンスの微調整ができる。
【００３５】
請求項６記載のＦ型コネクタ芯線接続構造は、請求項１乃至５に記載のＦ型コネクタ芯線接続構造において、筐体内部に延出されたＦ型コネクタ芯線から内方突出形状までの距離によって、該Ｆ型コネクタ芯線の幅が設定されるので、インピーダンスを整合してＦ型コネクタ芯線における伝送損失を低減させることができる。
【００３６】
請求項７記載のＦ型コネクタ芯線接続構造は、請求項１乃至５に記載のＦ型コネクタ芯線接続構造において、筐体内部に延出されたＦ型コネクタ芯線において、幅および形状の変化部分を設けたので、この変化部分の位置を調整することにより、Ｆ型コネクタ芯線のインピーダンスマッチングの周波数特性を改善することができる。
【００３７】
【００３８】
【００３９】
【００４０】
【００４１】
【００４２】
【００４３】
【図面の簡単な説明】
【図１】  本発明の第１実施形態に係るＦ型コネクタ芯線接続構造を高周波信号接続ユニットに適用した概略図である。
【図２】  本発明の第１実施形態に係るＦ型コネクタ芯線接続構造を示す拡大構成図である。
【図３】  本発明の第１実施形態に係るＦ型コネクタ芯線接続構造における内方突出形状の変形例を示す拡大構成図である。
【図４】  本発明の第１実施形態に係るＦ型コネクタ芯線接続構造におけるＦ型コネクタ芯線の変形例を示す拡大構成側面図である。
【図５】  本発明の第１実施形態に係るＦ型コネクタ芯線接続構造におけるＦ型コネクタ芯線の別変形例を示す拡大構成裏面図である。
【図６】  本発明の第１の参考形態に係るＦ型コネクタ芯線接続構造を示す拡大構成図である。
【図７】  本発明の第２の参考形態に係るＦ型コネクタ芯線接続構造を示す拡大構成図である。
【図８】  本発明の第３の参考形態に係るＦ型コネクタ芯線接続構造を示す拡大構成図である。
【図９】  従来のＦ型コネクタ芯線接続構造を示す拡大構成図であり、（ａ）は側面図、（ｂ）は表面図、（ｃ）は裏面図である。
【図１０】  従来のＦ型コネクタ芯線に平行して両側に壁を設けたＦ型コネクタ芯線接続構造を示す拡大構成図である。
【符号の説明】
１  Ｆ型コネクタ
３  筐体
４  プリント基板
６  Ｆ型コネクタ芯線
７  接続部分
８  変化点
９  導体
１０  ＧＮＤ端子
１１  接続用プリント基板
３０  内方突出壁
３２  凹部
【図１】
0004830227.tif 000002
【図２】
0004830227.tif 000003
【図３】
0004830227.tif 000004
【図４】
0004830227.tif 000005
【図５】
0004830227.tif 000006
【図６】
0004830227.tif 000007
【図７】
0004830227.tif 000008
【図８】
0004830227.tif 000009
【図９】
0004830227.tif 000010
【図１０】
0004830227.tif 000011